(57)【要約】      （修正有）【課題】サッシの外側から面格子をとりつけできるリフォーム用面格子の取付構造を提供する。【解決手段】サッシ両側のたて枠７に、所定長さを有するロングブラケット８の内方取付部８ａを取り付け、一方面格子１０の両側のたて枠２の内面に、もしくは面格子１０の開口枠の両側のたて枠の内面に、所定長さを有する接合部材１１を側方に突出する状態で取り付け、接合部材１１の上端部に形成している引掛部１１ａをロングブラケット８の外方取付部８ｂの上端部に引掛けるとともに、接合部材１１をロングブラケット８の外方取付部８ｂの外面に当てがって、長手方向の所定数箇所をリベット、ビスなどの止具で固定することを特徴とする。【選択図】図４
0003149045.tif 000002
【実用新案登録請求の範囲】
【請求項１】
サッシの両側のたて枠に、所定長さを有するロングブラケットの内方取付部を取り付け、一方面格子の両側のたて枠の内面に、もしくは面格子の開口枠の両側のたて枠の内面に、所定長さを有する接合部材を側方に突出する状態で取り付け、該接合部材の上端部に形成している引掛部をロングブラケットの外方取付部の上端部に引掛けるとともに、該接合部材をロングブラケットの外方取付部の外面に当てがって、長手方向の所定数箇所をリベット、ビスなどの止具で固定することを特徴とする面格子の取付構造。
【請求項２】
サッシ外方の側壁に所定長さを有するロングブラケットの内方取付部を取り付け、一方面格子の両側のたて枠の内面に、もしくは面格子の開口枠の両側のたて枠の内面に、所定長さを有する接合部材を側方に突出する状態で取り付け、該接合部材の上端部に形成している引掛部をロングブラケットの外方取付部の上端部に引掛けるとともに、該接合部材をロングブラケットの外方取付部の外面に当てがって、長手方向の所定数箇所をリベット、ビスなどの止具で固定することを特徴とする面格子の取付構造。
【請求項３】
接合部材の上端部に形成している引掛部はフック型に形成していることを特徴とする請求項１または請求項２記載の面格子の取付構造。
【考案の詳細な説明】
【技術分野】
【０００１】本考案はサッシの外方にとりつけられる面格子の取付構造に関する。
【背景技術】
【０００２】従来サッシの外方に面格子を取り付ける構造は公知である。
面格子は目的、用途によって意匠や形状、構造が異なり、例示すれば、ルーバ面格子や格子面格子、あるいは固定面格子や脱出タイプのような開放面格子（面格子本体が開閉する構造）などがある。
これ等面格子はサッシのたて枠に外方に向けてとりつけられたブラケットに面格子のたて枠の内面を当てがって、止具で固定して取り付けられる。あるいはサッシの外方の側壁に取り付けられたブラケットに同様に面格子を当てがって止具で固定してとりつけられる。【０００３】図５、図６は上記の公知の面格子及びその取付構造の一例を示す。
図５Ａはルーバタイプの固定面格子の略正面図である。１は面格子、２は両側のたて枠、３は上下の横枠、４はたて枠に長手方向にとりつけられる可動ルーバである。２ａはたて枠にとりつけられた可動ルーバの操作ハンドルである。
図５Ｂは格子タイプの開放面格子の略正面図である。５は面格子、６は開口枠で、両側のたて枠６ａと上下の横枠６ｂからなり、その枠の内側に格子タイプの一対の面格子本体６ｃ、６ｄがとりつけられている。この図では一方の面格子本体６ｃが固定されている他方の面格子本体６ｄの内側にレールに沿って横方向に移動して開放される構造である。【０００４】図６は図５Ａに示すルーバタイプの固定面格子の取付状態を示す略平面図である。
サッシのたて枠７にはロングブラケット８の内方取付部８ａがとりつけられており、このブラケットの外方取付部８ｂには面格子１のたて枠２の内面が当てがわれて、ビス、リベットなどの止具９で固定されている。４は可動ルーバが開の状態である。
不図示であるが、図５Ｂの開放面格子であれば、開口枠の両側のたて枠の内面がロングブラケットの外方取付部に当てがわれて止具で固定される。また不図示であるが、ロングブラケットがサッシの外方の側壁にとりつけられる場合には該ブラケットの外方取付部に面格子のたて枠の内面が止具で固定される。
【考案の開示】
【考案が解決しようとする課題】
【０００５】上記従来の面格子の取付構造では、ブラケットに面格子をとりつける作業は、ブラケットの外方取付部の外面に面格子のたて枠の内面を当てがって、次いで室内側からブラケットの外方取付部に止具を挿着して面格子のたて枠をとりつけるという手順であり、要は面格子の取り付け作業は室内側に２人の作業者が入って室内側から行うという取付構造である。
そのためにリフォームとして面格子をとりつける際に他人の室内に作業者が入る煩わしさがあり、また住人には室内の清掃、整理等プライバシーが求められるという煩わしさがある。また在宅中でなければ取り付け作業ができないという時間的制約もある。
本考案は上記の問題点を解決している。
【課題を解決するための手段】
【０００６】本考案は次の特徴を備えている。
その特徴の一つは「サッシ両側のたて枠に、所定長さを有するロングブラケットの内方取付部を取り付け、一方面格子の両側のたて枠の内面に、もしくは面格子の開口枠の両側のたて枠の内面に、所定長さを有する接合部材を側方に突出する状態で取り付け、該接合部材の上端部に形成している引掛部をロングブラケットの外方取付部の上端部に引掛けるとともに、該接合部材をロングブラケットの外方取付部の外面に当てがって、長手方向の所定数箇所をリベット、ビスなどの止具で固定することを特徴とする面格子の取付構造」である。【０００７】その特徴の二つは「サッシ外方の側壁に所定長さを有するロングブラケットの内方取付部を取り付け、一方面格子の両側のたて枠の内面に、もしくは面格子の開口枠の両側のたて枠の内面に、所定長さを有する接合部材を側方に突出する状態で取り付け、該接合部材の上端部に形成している引掛部をロングブラケットの外方取付部の上端部に引掛けるとともに、該接合部材をロングブラケットの外方取付部の外面に当てがって、長手方向の所定数箇所をリベット、ビスなどの止具で固定することを特徴とする面格子の取付構造」である。【０００８】その特徴の三つは「上記の構成において、接合部材の上端部に形成している引掛部はフック型に形成していることを特徴とする面格子の取付構造。」である。
【考案の効果】
【０００９】本考案は面格子の両側のたて枠の内面に、もしくは面格子の開口枠の両側のたて枠の内面に、所定の長さを有する接合部材を側方に突出する状態で取り付け、該接合部材の上端部に形成しているフック型等の引掛部をロングブラケットの外方取付部の上端に引掛けるとともに、該接合部材をロングブラケットの外方取付部の外面に当てがって、接合部材の側から長手方向の所定数か所に止具を挿着して両者を固定することによって面格子がとりつけられる。【００１０】この構造によれば作業者はサッシの外側で取り付け作業がすべてできる。まずロングブラケットをとりつけ、次いで該ブラケットの上端部に面格子に予めとりつけている接合部材の引掛部を引掛けて仮固定でき、さらに接合部材をロングブラケットの外方取付部の外面に当てがい、接合部材の側からリベット、ビス等の止具を挿着し、両者を固定することができる。
またブラケットをサッシ外方の側壁に取り付ける場合も同様に作業ができる。よってリフォーム用として面格子をとりつけるには在住している方への煩わしがなく、作業者自身においても煩わしさがなく、さらに住人が不在でも作業ができるのできわめて作業性がよく、時間的制約もなく実用価値大である。
【考案を実施するための最良の形態】
【００１１】本考案の実施形態について以下に図面を用いて説明する。
図１のＡ，Ｂは本考案の接合部材１１を示す。Ａは面格子の一方側のたて枠にとりつけられる接合部材の斜視図。Ｂは他方側のたて枠にとりつけられる接合部材の正面図である。素材は金属製たとえばアルミ製であり、ロングブラケットの長さに対応するように所定の巾と長さを有している。上端部にはフック型の引掛部１１ａを形成している。１１ｂはそれぞれ上下端部に形成しているネジ取付孔で、接合部材をたて枠にネジ止固定する。１１ｃは上、中、下端部形成しているリベット、ネジなど止具の取付孔で、接合部材をロングブラケットに止具で固定する。１１ｄはたて枠にとりつけられる可動ルーバの操作ハンドル２ａの取り付け箇所を避けるための切欠部である。切欠部がなければ両接合部材は左右対称形を呈している。【００１２】図２は本考案による面格子１０（固定面格子）の内側から見た略正面図である。図１に示す接合部材１１を面格子の両側のたて枠２，２にとりつけた状態を示している。公知の構造部分については図５Ａに示す構造部分と同符号を付している。３は横枠、４は可動ルーバ、２ａは操作ハンドルである。接合部材１１は所定の長さを有し、図面では略たて枠の長さとし、この長さは後述のロングブラケットの長さとしている。
しかしてこの接合部材は図示のとおり側方に突出する状態でとりつけられている。１２は接合部材のネジ取付孔１１ｂに挿着されたネジ等の止具で、接合部材をたて枠に固定している。【００１３】図３、図４は図２に示す面格子１０の取付状態を示す。サッシの両側のたて枠７に、所定長さを有するロングブラケット８の内方取付部８ａを取り付け、上記面格子の接合部材１１の上端部に形成しているフック型の引掛部１１ａをロングブラケットの外方取付部８ｂの上端部に引掛けるとともに、該接合部材をロングブラケットの外方取付部の外面に当てがって、長手方向の所定数箇所をリベット、ビス等の止具１３で固定している。【００１４】上記接合部材の引掛部はフック型を呈しており、ロングブラケットの上端に引掛けることにより面格子をロングブラケットに仮固定でき、止具による固定作業の前に位置あわせ等の調整がしやすくなり、固定作業が確実に、容易にできる。引掛部の形状はフック型に制限されるものではない。たとえば接合部材の上端部に嵌合突起を形成し、ロングブラケットの上端部に嵌合孔を形成し、両者を嵌合係合して仮固定するもよい。【００１５】本考案による面格子の取付構造は、図５Ｂに示す構造の面格子５にも採用できることは容易に理解できよう。言わば本考案の接合部材１１を開口枠６のたて枠６ａの内面に、上記実施例のように側方に突出する状態で止具で固定してとりつけ、次いで前記同様の手順で接合部材をロングブラケットに止具でとりつければよい。【００１６】さらに本考案による面格子の取付構造はサッシのたて枠に取り付けられるロングプラケットに替えて、サッシの外方の側壁１４にとりつけられるロングブラケット、該ブラケットの外方取付部に上記面格子の接合部材を同様に止具でとりつけることができることも理解できよう。
以上本考案の実施例について説明したが、本考案はこれに限定されず、本考案の技術思想を逸脱しない範囲の設計変更は可能である。
【図面の簡単な説明】
【００１７】
【図１】本考案接合部材の実施例を示し、Ａは一方のたて枠に取り付けられる接合部材の要部斜視図、Ｂは他方のたて枠に取り付けられる接合部材の要部正面図。
【図２】本考案による面格子の内側から見た略正面図。
【図３】図２に示す面格子の取付状態を示す要部側面図。
【図４】図２に示す面格子の取付状態を示す要部平面図。
【図５】Ａは従来のルーバタイプの固定面格子の略正面図、Ｂは格子タイプの開放面格子の略正面図。
【図６】図５Ａに示す固定面格子の取付状態を示す略平面図である。
【符号の説明】
【００１８】２    たて枠
２ａ  操作ハンドル
３    横枠
４    可動ルーバ
７    サッシのたて枠
８    ロングブラケット
８ａ  内方取付部
８ｂ  外方取付部
１０  面格子
１１  接合部材
１１ａ引掛部
１１ｂネジ取付孔
１１ｃ止具の取付孔
１１ｄ切欠部
１２  止具
１３  止具
１４  側壁
【図１】
0003149045.tif 000003
【図２】
0003149045.tif 000004
【図３】
0003149045.tif 000005
【図４】
0003149045.tif 000006
【図５】
0003149045.tif 000007
【図６】
0003149045.tif 000008